(57)【要約】【課題】キッチンのカウンターに簡易に取り付け可能、かつ、衝立パネルを強固に固定できると共に、安全性や意匠性に優れたキッチン用スクリーンの固定構造及びキッチン用スクリーンの固定方法を提供する。【解決手段】本発明を適用したキッチン用スクリーンの固定構造の一例であるキッチン用スクリーン１は、２つの支部部材４を有し、２つの支持部材４がガラスパネル５の底面側を支持して、ガラスパネル５を立設して固定する構造となっている。また、天板３と、ガラスパネル５の下端部との間には、手指が通る隙間が形成されている。支持部材４は、本体ブラケット６と、パッキン７と、金属製スペーサー８と、ガラスパネル固定ねじ９を有している。【選択図】図２
2018025231.tif 000002
【特許請求の範囲】
【請求項１】
所定の板に取り付け可能な取付片と、
該取付片の一方の端部に連設され、ねじ溝が切られた固定ねじ貫通孔が形成された第１の挟持片と、
前記取付片の他方の端部に、前記第１の挟持片が設けられた側かつ同第１の挟持片と略平行な向きで連設された第２の挟持片と、
前記第１の挟持片及び前記第２の挟持片の間かつ前記取付片の同第１の挟持片と同第２の挟持片とが設けられた側に配置され、弾性を有する底部パッキンと、
該底部パッキンの一方の端部かつ前記第１の挟持片に接して配置された弾性を有する第１のパッキンと
前記底部パッキンの他方の端部に前記第１のパッキンが設けられた側かつ同第１のパッキンと略平行な向きで配置された弾性を有する第２のパッキンと、
前記固定ねじ貫通孔にねじ構造で取り付け可能に構成され、同固定ねじ貫通孔に取り付けられた際に、先端が前記第１のパッキンに当接する固定ねじとを備える
キッチン用スクリーンの固定構造。
【請求項２】
前記第２のパッキン及び前記第２の挟持片の間に配置され、同第２のパッキン及び同第２の挟持片に接すると共に、前記第１の挟持片及び前記第２の挟持片と同色が付された金属製のスペーサーを備える
請求項１に記載のキッチン用スクリーンの固定構造。
【請求項３】
前記スペーサーの厚みは、前記第１のパッキンの厚みと前記第２のパッキンの厚みを足した大きさ以上である
請求項２に記載のキッチン用スクリーンの固定構造。
【請求項４】
前記取付片は、鉛直方向に貫通し、前記第１の挟持片が設けられた側に位置する径大部と、該径大部に連通して同径大部より径が小さな径小部から構成された鉛直貫通孔が形成され、
該鉛直貫通孔は、前記所定の板に固定可能な板固定ねじを挿入可能であると共に、径大部と径小部の境界の位置で板固定ねじのねじ頭を係止可能である
請求項１、請求項２または請求項３に記載のキッチン用スクリーンの固定構造。
【請求項５】
前記鉛直貫通孔は、前記第１の挟持片が設けられた側の開口部に段差部が設けられ、
前記底部パッキンは、前記取付片に接する側に位置し、前記段差部及び前記鉛直貫通孔に嵌合可能で、同鉛直貫通孔側に突出した第１の突出部を有し、
前記スペーサーは、前記取付片に接する側に位置し、前記段差部及び前記鉛直貫通孔に嵌合可能で、同鉛直貫通孔側に突出した第２の突出部を有する
請求項４に記載のキッチン用スクリーンの固定構造。
【請求項６】
前記取付片の前記第１の挟持片が設けられた側と反対側の面から前記底部パッキンの前記取付片の前記第１のパッキンが設けられた側の面までの距離は、前記所定の板から見て少なくとも手指が入る距離である
請求項５に記載のキッチン用スクリーンの固定構造。
【請求項７】
前記固定ねじの先端の前記第１のパッキンと当接する面にねじ先端スペーサーが取り付けられ、
該ねじ先端スペーサーは、前記第１のパッキンと当接する面の摩擦係数の値が、前記固定ねじが回転した際に同ねじ先端スペーサーが同第１のパッキンの動きに追従可能に構成された
請求項１、請求項２、請求項３、請求項４、請求項５または請求項６に記載のキッチン用スクリーンの固定構造。
【請求項８】
所定の板に取り付け可能な取付片と、該取付片の一方の端部に連設され、ねじ溝が切られた固定ねじ貫通孔が形成された第１の挟持片と、前記取付片の他方の端部に、前記第１の挟持片が設けられた側かつ同第１の挟持片と略平行な向きで連設された第２の挟持片と、前記第１の挟持片及び前記第２の挟持片の間かつ前記取付片の同第１の挟持片と同第２の挟持片とが設けられた側に配置され、弾性を有する底部パッキンと、該底部パッキンの一方の端部かつ前記第１の挟持片に接して配置された弾性を有する第１のパッキンと、前記底部パッキンの他方の端部に前記第１のパッキンが設けられた側かつ同第１のパッキンと略平行な向きで配置された弾性を有する第２のパッキンと、前記固定ねじ貫通孔にねじ構造で取り付け可能に構成され、同固定ねじ貫通孔に取り付けられた際に、先端が前記第１のパッキンに当接する固定ねじとを有するキッチン用スクリーンの固定構造を備え、
少なくとも２つの前記キッチン用スクリーンの固定構造で衝立パネルを固定する
キッチン用スクリーンの固定方法。
【請求項９】
所定の板に取り付け可能な取付片と、該取付片の一方の端部に連設され、ねじ溝が切られた固定ねじ貫通孔が形成された第１の挟持片と、前記取付片の他方の端部に、前記第１の挟持片が設けられた側かつ同第１の挟持片と略平行な向きで連設された第２の挟持片と、前記第１の挟持片及び前記第２の挟持片の間かつ前記取付片の同第１の挟持片と同第２の挟持片とが設けられた側に配置され、弾性を有する底部パッキンと、該底部パッキンの一方の端部かつ前記第１の挟持片に接して配置された弾性を有する第１のパッキンと、前記底部パッキンの他方の端部に前記第１のパッキンが設けられた側かつ同第１のパッキンと略平行な向きで配置された弾性を有する第２のパッキンと、前記固定ねじ貫通孔にねじ構造で取り付け可能に構成され、同固定ねじ貫通孔に取り付けられた際に、先端が前記第１のパッキンに当接する固定ねじとを有するキッチン用スクリーンの固定構造と、
前記第１のパッキン及び前記第２のパッキンの間に配置され、前記固定ねじを前記固定ねじ貫通孔に取り付けて固定可能な衝立パネルとを備え、
前記所定の板と固定された前記衝立パネルと間の距離が少なくとも手指が入る距離である
キッチン用スクリーンの固定構造。
【発明の詳細な説明】
【技術分野】
【０００１】
本発明は、キッチン用スクリーンの固定構造及びキッチン用スクリーンの固定方法に関する。詳しくは、キッチンのカウンターに簡易に取り付け可能、かつ、衝立パネルを強固に固定できると共に、安全性や意匠性に優れたキッチン用スクリーンの固定構造及びキッチン用スクリーンの固定方法に係るものである。
【背景技術】
【０００２】
キッチンでの作業に伴う調理中の油はねや、食器洗浄時の水はねが周囲に飛散することを防ぐために、キッチンのカウンターの上面に板状の衝立パネルが取付られている。
【０００３】
近年では、キッチンとダイニング、または、キッチンとリビングの間に仕切り壁がないオープンキッチンに設置される対面型のカウンターが主流となっているが、例えば、ガラス製や樹脂性等の衝立パネルが、こうしたカウンターに採用されている。
【０００４】
衝立パネルをキッチンのカウンターの上面（天板）に取り付ける構造として、一対の支持部材を天板に設置して、支持部材で衝立パネルを固定するものが基本的なものとなる。
【０００５】
こうしたなか、ガラス製の衝立パネルを支持部材に溶接して固定することなく、安定して立設させることを試みたキッチン用スクリーンの固定構造が存在し、例えば、特許文献１に記載のキッチン用スクリーンの固定構造が提案されている。
【０００６】
ここで、特許文献１には、図１１〜図１３に示すようなキッチン用スクリーンの固定構造が記載されている。図１１に示すように、キッチンカウンター１００は、カウンター１０１とキャビネット部１０２とを備えている。カウンター１０１の上面には、衝立パネル１０３を支持部材１０４によって立設させている。
【０００７】
カウンター１０１には、水栓１０５を備えたシンク１０６と、ＩＨヒータで構成された加熱調理器１０７とが設けられている。図１２に示すように、衝立パネル１０３は、カウンター１０１の上面に固定された支持部材１０４によって衝立パネル１０３の下端部１０８が部分的に支持され、カウンター２の上面に対して垂直に立設されている。
【０００８】
図１３（ａ）〜図１３（ｃ）に示すように、支持部材１０４は、互いに対峙して衝立パネル１０３の下端部１０８を挟持するよう分割された一対の台座部材１０９及び挟込部材１１０から構成されている。支持部材１０４は、台座部材１１１、挟込部材１１２を突き合わせ、対峙させた状態で略円柱形状をなし、衝立パネル１０３の両端部付近にそれぞれ１つずつ、計２つの支柱部材４が設けられている。
【０００９】
台座部材１０９は、図１３（ａ）〜図１３（ｃ）に示すように、衝立パネル１０３が載置される支持段部１１３と、支持段部１１３の位置より上位に立ち上がり、衝立パネル１０３の下端部１０８を挟み込む挟込部１１４と、支持段部１１３の下位に位置して挟込部材１１０と締結される脚部１１５と、カウンター２の上面に当接され、締結部材１１６によってカウンター２の上面に固定される固定基部１１７とを備えている。
【００１０】
脚部１１５には、台座部材１０９と挟込部材１１０とを締結するための締結具１１８（ボルト）が螺入される締結孔１１９が形成されている。
【００１１】
特許文献１に記載のキッチン用スクリーンの固定構造では、上述した支持部材１０４の一対の台座部材１０９及び挟込部材１１０が締結具１１８で一体化されることで、挟込部１１４に衝立パネル１０３が固定されるものとなる。
【先行技術文献】
【特許文献】
【００１２】
【特許文献１】特開２０１０−１１９５３号公報
【発明の概要】
【発明が解決しようとする課題】
【００１３】
しかしながら、特許文献１に記載のキッチン用スクリーンの固定構造は、支持部材の下部の締結具に近い位置では衝立パネルを固定できるが、締結具から離れる支持部材の上部では固定力が弱くなり、全体としての固定力が不充分となるおそれがある。
【００１４】
また、衝立パネルの厚みに関して、支持部材での固定を想定する厚さよりも、板厚の厚い衝立パネルを使用すると、台座部と挟込部との下部に隙間が空いてしまうため、別サイズの支持部材を準備する必要が生じるものとなる。
【００１５】
また、台座部と挟込部との下部の隙間を隠すために、従来のキッチン用スクリーンの固定構造には、支持段部を避けるような形状で、ガラス自体に孔や切欠きを形成したものも存在するが、ガラス等の衝立パネルを加工する手間が生じていた。
【００１６】
本発明は、以上の点に鑑みて創案されたものであり、キッチンのカウンターに簡易に取り付け可能、かつ、衝立パネルを強固に固定できると共に、安全性や意匠性に優れたキッチン用スクリーンの固定構造及びキッチン用スクリーンの固定方法を提供することを目的とする。
【課題を解決するための手段】
【００１７】
上記の目的を達成するために、本発明のキッチン用スクリーンの固定構造は、所定の板に取り付け可能な取付片と、該取付片の一方の端部に連設され、ねじ溝が切られた固定ねじ貫通孔が形成された第１の挟持片と、前記取付片の他方の端部に、前記第１の挟持片が設けられた側かつ同第１の挟持片と略平行な向きで連設された第２の挟持片と、前記第１の挟持片及び前記第２の挟持片の間かつ前記取付片の同第１の挟持片と同第２の挟持片とが設けられた側に配置され、弾性を有する底部パッキンと、該底部パッキンの一方の端部かつ前記第１の挟持片に接して配置された弾性を有する第１のパッキンと前記底部パッキンの他方の端部に前記第１のパッキンが設けられた側かつ同第１のパッキンと略平行な向きで配置された弾性を有する第２のパッキンと、前記固定ねじ貫通孔にねじ構造で取り付け可能に構成され、同固定ねじ貫通孔に取り付けられた際に、先端が前記第１のパッキンに当接する固定ねじとを備える。
【００１８】
ここで、所定の板に取り付け可能な取付片によって、例えば、キッチン用スクリーンを天板に設けることが可能となる。なお、ここでいう、所定の板とは、キッチンのカウンター上面側の天板だけでなく、キッチン周辺に設けられた壁の側面の板や、鉛直下方の面に設けられた板を含むものである。
【００１９】
また、取付片と、取付片の一方の端部に連設された第１の挟持片と、取付片の他方の端部に、前記第１の挟持片が設けられた側かつ同第１の挟持片と略平行な向きで連設された第２の挟持片によって、衝立パネルを支持して固定するための本体構造が構築される。即ち、取付片を底部として、第１の挟持片と第２の挟持片との間に衝立パネルを配置可能な空間を構成することができる。
【００２０】
また、第１の挟持片及び第２の挟持片の間かつ取付片の第１の挟持片と第２の挟持片とが設けられた側に配置され、弾性を有する底部パッキンと、底部パッキンの一方の端部かつ第１の挟持片に接して配置された弾性を有する第１のパッキンと底部パッキンの他方の端部に第１のパッキンが設けられた側かつ第１のパッキンと略平行な向きで配置された弾性を有する第２のパッキンによって、衝立パネルを挟み込むパッキンが構成される。即ち、取付片、第１の挟持片及び第２の挟持片で囲まれた空間に衝立パネルと接して、衝立パネルの把持及び固定を担うパッキンとすることができる。
【００２１】
また、ねじ溝が切られた固定ねじ貫通孔が形成された第１の挟持片と、固定ねじ貫通孔にねじ構造で取り付け可能に構成され、固定ねじ貫通孔に取り付けられた際に、先端が第１のパッキンに当接する固定ねじによって、パッキンで挟持された衝立パネルをより強固に固定可能となる。即ち、衝立パネルがパッキンに挟持された状態で、更に、固定ねじが固定ねじ貫通孔に取り付けられることで、固定ねじの先端が第１のパッキンを押圧するものとなり、衝立パネルを挟持する力を高めることができる。
【００２２】
また、第２のパッキン及び第２の挟持片の間に配置され、第２のパッキン及び第２の挟持片に接すると共に、第１の挟持片及び第２の挟持片と同色が付された金属製のスペーサーを備える場合には、パッキン部分の使用量を低減することができる。この結果、例えば、取付片、第１の挟持片及び第２の挟持片が金属で形成され、底部パッキン、第１のパッキン及び第２のパッキンが黒色の弾性を有する樹脂部材で形成された場合、パッキンの黒色を目立ちにくくして、全体の見栄えを良くすることができる。また、底部パッキン、第１のパッキン及び第２のパッキンが可燃性の樹脂部材で形成された場合、安全性を向上させることができる。
【００２３】
また、スペーサーの厚みが、第１のパッキンの厚みと第２のパッキンの厚みを足した大きさ以上である場合には、より一層、キッチン用スクリーンの固定構造の見栄えを良くして、かつ、安全性を高めることができる。
【００２４】
また、取付片に、鉛直方向に貫通し、第１の挟持片が設けられた側に位置する径大部と、径大部に連通して径大部より径が小さな径小部から構成された鉛直貫通孔が形成され、鉛直貫通孔は、所定の板に固定可能な板固定ねじを挿入可能であると共に、径大部と径小部の境界の位置で板固定ねじのねじ頭を係止可能である場合には、板固定ねじを所定の板に固定して、取付片を固定することが可能となる。また、取付片の鉛直貫通孔に板固定ねじを安定して配置可能となる。また、板状の衝立パネルの両端を２つのキッチン用スクリーンの固定構造で支持して固定する際に、取付片の向きを容易に変えることができるため、衝立パネルの形状に合わせて取り付けやすいものとなる。また、取付片の向きがずれたまま衝立パネルを取り付けることもなくなるため、衝立パネルに取付片の向きのずれに伴う負荷がかからなくすることができる。
【００２５】
また、鉛直貫通孔の、第１の挟持片が設けられた側の開口部に段差部が設けられ、底部パッキンが、取付片に接する側に位置し、段差部及び鉛直貫通孔に嵌合可能で、鉛直貫通孔側に突出した第１の突出部を有し、スペーサーが、取付片に接する側に位置し、段差部及び鉛直貫通孔に嵌合可能で、鉛直貫通孔側に突出した第２の突出部を有する場合には、底部パッキン及びスペーサーを取付辺に配置しやすいものとなる。また、取付片の上方にパッキン及びスペーサーを取付け可能な構造となる。この結果、衝立パネルと天板との間に一定の隙間が設けられるものとなり、衝立パネルの設置位置の清掃性を向上させることができる。
【００２６】
また、取付片の第１の挟持片が設けられた側と反対側の面から底部パッキンの取付片の第１のパッキンが設けられた側の面までの距離が、所定の板から見て少なくとも手指が入る距離である場合には、衝立パネルの設置位置の清掃性を向上させるだけでなく、衝立パネルと天板の間に指が挟まる等の事故が生じにくくすることができる。
【００２７】
また、固定ねじの先端の第１のパッキンと当接する面にねじ先端スペーサーが取り付けられ、ねじ先端スペーサーが、第１のパッキンと当接する面の摩擦係数の値が、固定ねじが回転した際にねじ先端スペーサーが第１のパッキンの動きに追従可能に構成された場合には、底部パッキン、第１のパッキン及び第２のパッキンで衝立パネルを挟持して固定し、更に固定ねじで強固に固定する際に、ねじ先端スペーサーが固定ねじの回転する方向にかかる力を吸収して、固定ねじ取り付け時の回転方向に生じる力が第１のパッキンに伝わりにくくなる。この結果、第１のパッキンにねじれ等の形状変化が生じにくいものとなる。第１のパッキンにねじれ等が生じた場合には、パッキンの形状変化や、削れ、破れなどにより衝立パネルに傷や破損などの不具合を及ぼすため、これを防止することが可能となる。より詳細には、ねじ先端スペーサーは第１のパッキンと接触して停止して回転せず（ねじ先端スペーサーが第１のパッキンに追従する）、ねじ先端スペーサーと固定ねじとの間で滑りが生じ、固定ねじのみが回転しやすい構造とすることができる。
【００２８】
また、上記の目的を達成するために、本発明のキッチン用スクリーンの固定方法は、所定の板に取り付け可能な取付片と、該取付片の一方の端部に連設され、ねじ溝が切られた固定ねじ貫通孔が形成された第１の挟持片と、前記取付片の他方の端部に、前記第１の挟持片が設けられた側かつ同第１の挟持片と略平行な向きで連設された第２の挟持片と、前記第１の挟持片及び前記第２の挟持片の間かつ前記取付片の同第１の挟持片と同第２の挟持片とが設けられた側に配置され、弾性を有する底部パッキンと、該底部パッキンの一方の端部かつ前記第１の挟持片に接して配置された弾性を有する第１のパッキンと、前記底部パッキンの他方の端部に前記第１のパッキンが設けられた側かつ同第１のパッキンと略平行な向きで配置された弾性を有する第２のパッキンと、前記固定ねじ貫通孔にねじ構造で取り付け可能に構成され、同固定ねじ貫通孔に取り付けられた際に、先端が前記第１のパッキンに当接する固定ねじとを有するキッチン用スクリーンの固定構造を備え、少なくとも２つの前記キッチン用スクリーンの固定構造で衝立パネルを固定するものである。
【００２９】
ここで、少なくとも２つのキッチン用スクリーンの固定構造で衝立パネルを固定することによって、安定して衝立パネルを天板に取り付けることができる。また、衝立パネルの長さが長いものである際にも、３つ目、４つ目のキッチン用スクリーンの固定構造を用いることで、安定して衝立パネルを天板に取り付けることができるものとなる。
【００３０】
また、上記の目的を達成するために、本発明のキッチン用スクリーンの固定構造は、所定の板に取り付け可能な取付片と、該取付片の一方の端部に連設され、ねじ溝が切られた固定ねじ貫通孔が形成された第１の挟持片と、前記取付片の他方の端部に、前記第１の挟持片が設けられた側かつ同第１の挟持片と略平行な向きで連設された第２の挟持片と、前記第１の挟持片及び前記第２の挟持片の間かつ前記取付片の同第１の挟持片と同第２の挟持片とが設けられた側に配置され、弾性を有する底部パッキンと、該底部パッキンの一方の端部かつ前記第１の挟持片に接して配置された弾性を有する第１のパッキンと、前記底部パッキンの他方の端部に前記第１のパッキンが設けられた側かつ同第１のパッキンと略平行な向きで配置された弾性を有する第２のパッキンと、前記固定ねじ貫通孔にねじ構造で取り付け可能に構成され、同固定ねじ貫通孔に取り付けられた際に、先端が前記第１のパッキンに当接する固定ねじとを有するキッチン用スクリーンの固定構造と、前記第１のパッキン及び前記第２のパッキンの間に配置され、前記固定ねじを前記固定ねじ貫通孔に取り付けて固定可能な衝立パネルとを備え、前記所定の板と固定された前記衝立パネルと間の距離が少なくとも手指が入る距離であるものとなっている。
【００３１】
ここで、所定の板と固定された前記衝立パネルと間の距離が少なくとも手指が入る距離であることによって、衝立パネルの設置位置の清掃性を向上させることができる。また、衝立パネルと天板の間に指が挟まる等の事故が生じにくくすることができる。
【発明の効果】
【００３２】
本発明に係るキッチン用スクリーンの固定構造は、キッチンのカウンターに簡易に取り付け可能、かつ、衝立パネルを強固に固定できると共に、安全性や意匠性に優れたものとなっている。
また、本発明に係るキッチン用スクリーンの固定方法は、キッチンのカウンターに簡易に取り付け可能、かつ、衝立パネルを強固に固定できると共に、安全性や意匠性に優れた方法となっている。
【図面の簡単な説明】
【００３３】
【図１】本発明のキッチン用スクリーンの固定構造が採用されたカウンターの全体斜視図（ａ）及び全体構造を示す概略図（ｂ）である。
【図２】本発明のキッチン用スクリーンの固定構造の内部構造を示す概略斜視断面図である。
【図３】本体ブラケットの構造を示す概略図である。
【図４】全体の内部構造を示す概略断面図及びその部分拡大図である。
【図５】本体ブラケットの内部構造を示す概略断面図（ａ）、パッキンの概略正面図（ｂ）、パッキンの概略断面図（ｃ）及びパッキンの概略斜視図（ｄ）である。
【図６】金属製スペーサーの概略斜視図（ａ）、金属製スペーサーの概略断面図（ｂ）及び金属製スペーサーの概略平面図（ｃ）である。
【図７】ガラスパネル固定ねじの本体及びねじ先端スペーサーを示す概略図である。
【図８】別体の底部材を有する本体ブラケットの一体化前の構造を示す概略図である。
【図９】別体の底部材を有する本体ブラケットの一体化後の構造を示す概略図である。
【図１０】キッチン用スクリーンのその他の固定状態を示す図である。
【図１１】従来のキッチン用スクリーンの固定構造の配置位置を示す概略図である。
【図１２】従来のキッチン用スクリーンの固定構造を示す概略図である。
【図１３】従来のキッチン用スクリーンの固定構造の詳細な構造を示す概略図（ａ）〜（ｃ）である。
【発明を実施するための形態】
【００３４】
以下、本発明の実施の形態について図面を参照しながら説明し、本発明の理解に供する。
図１は、本発明のキッチン用スクリーンの固定構造が採用されたカウンターの全体斜視図（ａ）及び全体構造を示す概略図（ｂ）である。なお、以下に示す構造は本発明の一例であり、本発明の内容はこれに限定されるものではない。
【００３５】
図１（ａ）に示すように、本発明を適用したキッチン用スクリーンの固定構造の一例であるキッチン用スクリーン１は、キッチンのカウンター２の上面を構成する天板３に設置される。なお、図１（ａ）には、キッチン用スクリーンがシンクの水はね防止用に設置された構造を示しているが、キッチン用スクリーンは、例えば、油はね防止用にコンロ周辺に設置されるものであってもよい。
【００３６】
キッチン用スクリーン１は、２つの支部部材４を有し、２つの支持部材４がガラスパネル５の底面側を支持して、ガラスパネル５を立設して固定する構造となっている。また、天板３と、ガラスパネル５の下端部との間には、手指が通る隙間が形成されている。
【００３７】
ここで、必ずしも、１枚のガラスパネル５が２つの支持部材４で支持して固定される必要はなく、ガラスパネルの大きさによっては、３つ以上の支持部材を用いる構成とすることもできる。
【００３８】
また、必ずしも、支持部材で固定する対象がガラスパネルに限定されるものではなく、例えば、樹脂や金属等で形成された衝立パネルを固定するものであってもよい。
【００３９】
図１（ｂ）に示すように、支持部材４は、本体ブラケット６と、パッキン７と、金属製スペーサー８と、ガラスパネル固定ねじ９を有している。
【００４０】
図３〜図７を用いて支持部材４の詳細な構造を説明する。
【００４１】
支持部材４のうち、本体ブラケット６（本願の請求項の取付片、第１の挟持片及び第２の挟持片に相当）は、パッキン７、金属製スペーサー８及びガラスパネル５の支持台となる基本構造を構成する部材である。本体ブラケットは金属で一体的に形成されている。
【００４２】
パッキン７（本願の請求項の底部パッキン、第１のパッキン及び第２のパッキンに相当）は弾性を有する樹脂で形成され、ガラスパネル５を挟持して固定する部材である。また、後述するガラスパネル固定ねじ９の取り付けによるガラスパネル５の強固な固定を担う部材であり、かつ、固定時の固定力でガラスパネル５の破損を抑制する緩衝材ともなるものである。
【００４３】
金属製スペーサー８（本願の請求項のスペーサーに相当）は、本体ブラケット６に取り付けるパッキン７の使用量を低減させるための隙間埋めの役割を担う部材であり、本体ブラケット６を構成する金属と同色が付されている。ガラスパネル固定ねじ９（本願の請求項の固定ねじに相当）はねじ構造で本体ブラケット６に取り付けられ、パッキン７に接し、パッキン７を介してガラスパネル５を強固に固定する部材である。
【００４４】
図２に示すように、本体ブラケット６の凹部１０（パッキン７及び金属製スペーサー８を収容する空間）にパッキン７が配置され、パッキン７の間にガラスパネル５が配置される。凹部１０の寸法と、パッキン７及び金属製スペーサー８を合わせた寸法はほぼ同一に形成されており、パッキン７の間にガラスパネル５が挟持された状態（ガラスパネル固定ねじ９での固定前の状態）だけでも、ガラスパネル５は一定程度、パッキン７で固定されたものとなる。パッキン７及び金属製スペーサー８は、固定したいガラスパネル５の厚みに応じて、複数の厚みのものを適宜選択することができる。
【００４５】
また、本体ブラケット６には、ガラスパネル固定ねじ９をねじ構造で取り付け可能な固定ねじ貫通孔１１が形成されている。ガラスパネル固定ねじ９が固定ねじ貫通孔１１に取り付けられると、ガラスパネル固定ねじ９の先端部３４がパッキン７の外周面に当接する。
【００４６】
ガラスパネル固定ねじ９が固定ねじ貫通孔１１に完全に取り付けられた状態では、先端部３４がパッキン７を押し、パッキン７のガラスパネル５を挟む領域が狭くなる方向に力が働き、この力がガラスパネル５をより強固に固定するものとなる。
【００４７】
本体ブラケット６の凹部１０の下方には、径のサイズが異なる径大貫通孔３９と、径小貫通孔４０が凹部１０に連通して形成され、天板固定ねじ１３が挿通される孔となっている（図２参照）。
【００４８】
径大貫通孔３９は天板固定ねじ１３のねじ頭４２を配置するための空間である。また、径大貫通孔３９の開口部４１の部分は、後述するパッキン７の突出部２２及び金属製スペーサー８の突出部２４と嵌合する開口段差部２０となっている（図２乃至図５参照）。
【００４９】
また、径小貫通孔４０は天板固定ねじ１３の軸体４３を挿通させて天板３に至るまでの経路となっている（図２参照）。天板固定ねじ１３は軸体４３にねじ溝が切られたねじであり、天板３側に形成した孔に打ち込みナットを配設し、これと螺合させて固定する方法や、天板３に貫通孔を形成して、天板３の裏面側に配置した六角ナットと螺合させて固定する方法によって、天板固定ねじ１３を天板３に対して固定するものとなっている（図示せず）。
【００５０】
また、天板固定ねじの固定する方法としては、例えば、天板固定ねじ先端を先鋭なものとして、天板３に直接タッピングして固定する方法や、天板３の下方にある桟部材に固定ねじをタッピングして固定する方法も採用しうる。
【００５１】
また、図示しないが、天板固定ねじ１３と径大貫通孔３９の上面の間にはワッシャーが配置されている。また、本体ブラケット６の底面側には凹部１４が設けられ、防水のためのオーリング１５が配置されている（図４参照）。
【００５２】
図４の概略断面図にて各部材の配置位置を示している。図４で見て左側から、本体ブラケット６に対して、ガラスパネル固定ねじ９、断面視で略コ字状のパッキン７、金属製スペーサー８の順番で配置されている。
【００５３】
図４から明らかなように、パッキン７の側面視での厚み（符号ｘを足した２ｘ分）よりも、金属製スペーサー８の厚みｙが大きくなるように形成されている。これにより、パッキン７の使用量を低減することができる。金属製スペーサー８の厚みは、本体ブラケット６の凹部１０の内面側の幅から、パッキン７の厚みと固定するガラスパネル８の厚みを引いた値として設定することが可能である。
【００５４】
ここで、必ずしも、パッキン７の側面視での厚みよりも、金属製スペーサー８の厚みｙが大きくなるように形成される必要はない。但し、以下に記載するパッキン７の使用量を低減させたことに基づく利点があるため、パッキン７の側面視での厚みよりも、金属製スペーサー８の厚みｙが大きくなるように形成されることが好ましい。更には、ガラスパネル８の厚みが厚い場合には、金属製スペーサー８を用いずに、本体ブラケット６の凹部１０に、パッキンとガラスパネルのみを固定する態様も採用しうる。
【００５５】
パッキン７の使用量を低減することで、意匠性を向上させ、火気への対応により好ましい構造とすることができる。
【００５６】
具体的には、キッチン用スクリーンの固定構造では、支持部材を構成する金属材料に、例えば、装飾クロムメッキ仕上げの加工等を施して見栄えをよくすることが行われるが、この支持部材に黒色の樹脂製のパッキンを用いることで、全体の見栄えが悪くなってしまう。また、樹脂性のパッキンが可燃物である場合が多く、火を扱うキッチンに設置する部材として可燃物が多く含まれることが好ましくない。そのため、金属製スペーサー８の厚みをパッキン７の厚みより大きくすることで、パッキン７の使用量を減り、上記の不具合を低減することが可能となる。
【００５７】
図５（ａ）は本体ブラケット６のみの断面図を示している。本体ブラケット６は側面視で略コ字状の部材であり、同一の金属で一体的に形成されている。
【００５８】
本体ブラケット６を構成する第１の挟持片１６には、上部側に上述した固定ねじ貫通孔１１が形成されている。固定ねじ貫通孔１１の内周面にはねじ溝が形成されている。
【００５９】
また、本体ブラケット６の第１の挟持片１６と凹部１０を挟んで対向する第２の挟持片１７には、上部側に窪み部１８が形成されている。窪み部１８は後述する金属製スペーサー８に設けられた凸部と嵌合する部分であり、金属製スペーサー８の位置合わせをしやすくし、金属製スペーサーの脱落を防止するための領域となる。
【００６０】
本体ブラケット６は、第１の挟持片１６及び第２の挟持片１７が底面側の取付片１９で連結されている。取付片１９は底面側でカウンター２の天板３と接する部材であり、上述した径大貫通孔３９及び径小貫通孔４０に天板固定ねじ１３が配置可能に構成されている。
【００６１】
図５（ｂ）に示すように、パッキン７の構造のうち、第１の挟持片１６の径大貫通孔３９に対応する位置には、径大貫通孔３９の開口部周縁に形成された開口段差部２０に嵌合可能なパッキン段差部２１と、パッキン段差部２１に連設されて径大貫通孔３９の方向に向けて突出したパッキン突出部２２が形成されている（図５（ａ）及び図５（ｂ）参照）。
【００６２】
また、パッキン７の底面側の端部５３には面取りがされたＲ部が設けられている（図４図５（ｂ）及び図５（ｃ）参照）。本体ブラケット６のうち、パッキン７の底面側の端部５３に対応する部分５４にもＲ部が設けられ、パッキン７の端部５３と嵌合する構造となっている（図３、図４及び図５（ａ）参照。図３には部分５４の位置のみ示す。）。
【００６３】
図６（ｂ）に示すように、金属製スペーサー８の構造のうち、第２の挟持片１７の径大貫通孔３９に対応する位置には、径大貫通孔３９の開口部周縁に形成された開口段差部２０に嵌合可能なスペーサー段差部２３と、スペーサー段差部２３に連設されて径大貫通孔３９の方向に向けて突出したスペーサー突出部２４が形成されている（図４、図５（ａ）及び図６（ｂ）参照）。
【００６４】
金属製スペーサー８の底面側の端部５５には面取りがされたＲ部が設けられている（図６（ａ）、図６（ｂ）及び図６（ｃ）参照）。本体ブラケット６のうち、金属製スペーサー８の底面側の端部５５に対応する部分５６にもＲ部が設けられ、金属製スペーサー８の端部５５と嵌合する構造となっている（図３、図４及び図５（ａ）参照。図３には部分５６の位置のみ示す。）。
【００６５】
上記のような構造から、径大貫通孔３９の開口段差部２０はパッキン段差部２１及びスペーサー段差部２３と当接し、径大貫通孔３９に、突出したパッキン突出部２２及びスペーサー突出部２４が挿入され、更に、パッキン７の端部５３と本体ブラケット６の符号５４で示す位置が嵌合し、金属製スペーサー８の端部５５と本体ブラケット６の符号５６で示す位置が嵌合することで、パッキン７、金属製スペーサー８及び取付片９が一体化する構造となっている。本構造により、パッキン７及び金属製スペーサー８を本体ブラケット６の凹部１０に配置する際に、位置合わせがしやすいものとなっている。
【００６６】
また、取付片１９の上端面５２（図３参照）にパッキン７が配置され、パッキン７の底面の位置がガラスパネル５の下端面が当接する位置となるため、ガラスパネル５の底面とカウンター２の天板３との間に隙間を形成することができる。
【００６７】
また、図２に示すように、径大貫通孔３９は天板固定ねじ１３のねじ頭４２を配置するスペースであり、ねじ頭４２は径大貫通孔３９と径小貫通孔４０の境界の部分で係止される構造となっている。即ち、ねじ頭４２の径が径小貫通孔４０よりも大きく形成されているため、ねじ頭４２は径大貫通孔３９に留まるものとなる。一方、天板固定ねじ１３の軸体４３は、径小貫通孔４０を挿通し、取付片１９の下方に突出するものとなる。突出した軸体４３の先端部分は、天板３に配設した打ち込みナットや、天板３の裏面に配置した六角ナットと螺合させ、固定することができる。
【００６８】
図５（ａ）乃至図５（ｄ）にパッキン７を示している。パッキン７は、ガラスパネル固定ねじ９の先端と当接する第１のパッキン２５と、金属製スペーサー８と当接する第２のパッキン２６と、第１のパッキン２５及び第２のパッキン２６を連結する底部パッキン２７で構成されている。パッキン７は側面視で略コ字状の部材であり、同一の樹脂部材で一体的に形成されている。
【００６９】
ここで、必ずしも、パッキン７が同一の樹脂部材で一体的に形成される必要はない。例えば、第１のパッキン２５、第２のパッキン２６及び底部パッキン２７が３つの別部材で形成された形状であってもよい。
【００７０】
第１のパッキン２５には、ガラスパネル固定ねじ９の先端と当接する位置に窪み部２８が形成され、同部分にてガラスパネル固定ねじ９の先端と嵌合し、その取り付け時に内側方向に押される部分となる。
【００７１】
第２のパッキン２６には凸部２９が設けられている。凸部２９は後述する金属製スペーサー８に設けられた貫通孔と嵌合する部分であり、パッキン７と金属製スペーサー８の位置合わせをしやすくし、パッキン７の脱落を防止するための領域となる。
【００７２】
第１のパッキン２５、第２のパッキン２６及び底部パッキン２７で囲まれた内部領域３０にガラスパネル５の底面側が挿入され、各パッキンとガラスパネル５が密接することでパッキン７によるガラスパネル５の固定がなされるものとなる。
【００７３】
上述したように、底部パッキン２７にはパッキン段差部２１が設けられ、上述した本体ブラケット６の取付片１９の開口段差部２０に嵌合し、パッキン７の位置決めをしやすくし、パッキン７の脱落を防止する構造となっている。また、底部パッキン２７にはパッキン突出部２２が形成され、取付片１９の径大貫通孔３９に挿入する部分となっている。また、パッキン７の端部５３に該当する部分（Ｒ部の設けられた部分）が底部パッキン２７に設けられている。
【００７４】
図６（ａ）乃至図６（ｃ）に金属製スペーサー８を示している。金属製スペーサー８は上部側に凸部３１が設けられた略板状の部材である。凸部３１の位置に内側に貫通孔３２が形成されている。
【００７５】
金属製スペーサー８の凸部３１は、上述した本体ブラケット６の第２の挟持片１７の窪み部１８に嵌合する部分であり、金属製スペーサー８の位置決めをしやすくし、金属製スペーサー８の脱落を防止する構造となっている。また、金属製スペーサー８の貫通孔３２は、上述したパッキン７の第２のパッキン２６の凸部２９と嵌合する部分である。
【００７６】
上述したように、金属製スペーサー８の底面にはスペーサー段差部２３が設けられ、上述した本体ブラケット６の取付片１９の開口段差部２０に嵌合し、金属製スペーサー８の位置決めをしやすくし、金属製スペーサー８の脱落を防止する構造となっている。また、金属製スペーサー８の底面にはスペーサー突出部２４が形成され、取付片１９の径大貫通孔３９に挿入する部分となっている。また、金属製スペーサーの端部５５にＲ部が設けられている。
【００７７】
図７にガラスパネル固定ねじ９とねじ先端スペーサー３５を示している。ガラスパネル固定ねじ９は、本体部３３と、その先端部３４を構成するねじ先端スペーサー３５を有している。本体部３３の外周面の一部にはねじ溝が形成されている。
【００７８】
ねじ先端スペーサー３５は、本体部３３のねじの先端部に取り付けられるキャップ状の部材であり、摩擦係数の小さな樹脂で形成されている。このねじ先端スペーサー３５の外周面がパッキン７と当接する部分（即ち、ガラスパネル固定ねじの先端部３４）となる。
【００７９】
ねじ先端スペーサー３５は凸部３６を有しており、この凸部３６が本体部３３の嵌合孔３７と嵌合して取り付け可能となっている。本体３３のねじ頭側の外周面には、六角孔３８が形成され、六角レンチ等でガラスパネル固定ねじ９を回転させることができる（図１（ｂ）及び図２参照）。なお、ガラスパネル固定ねじ９を回転可能であれば、六角孔３８の代わりに、プラス形状の孔や、工具なくても貨幣などを代用して回転可能なマイナス形状の孔にすることもできる。
【００８０】
ガラスパネル固定ねじ９を回転させ、固定ねじ貫通孔１１に取り付けてパッキン７に挟持して固定されたガラスパネル５を更に強固に固定する際には、ねじ先端スペーサー３５自体は回転しないものとなる。
【００８１】
即ち、ガラスパネル固定ねじ９だけが回転して、ねじ先端スペーサー３５は静止し、パッキン７に対しては回転に伴う力がかかりにくい構造となっている。このことは、摩擦係数によるものであり、ねじ先端スペーサー３５とガラスパネル固定ねじ９との間の摩擦係数が、ねじ先端スペーサー３５とパッキン７との間の摩擦係数よりも小さくなることで、ガラスパネル固定ねじ９のみが回転することを可能としている。
【００８２】
このように、ガラスパネル固定ねじ９だけが回転して、パッキン７に回転に伴う力がかかりにくくすることで、パッキンにねじれ等の形状変化や、削れ、破れなどの破損を防止するものとなる。パッキンにねじれ等が生じた場合には、パッキンの形状変化や、削れ、破れなどにより衝立パネルに傷や破損などの不具合を及ぼすため、これを防止することが可能となる。
【００８３】
また、本発明を適用したキッチン用スクリーンの固定構造には、例えば、以下に示すような構造もバリエーションとして考えられる。
【００８４】
図８及び図９には、本体ブラケット４４の下部に別体の台座部４５を配置するキッチン用スクリーンの固定構造４６を示している。台座部４５は、中央部に天板固定ねじ４７を挿通させる貫通孔４８が設けられている。また、台座部４５には段差部４９が上部側の外周縁に設けられ、同段差部４９が本体ブラケット４４の底面側に設けられた段差部（図示せず）と嵌合することで一体化する構造となっている（図９参照）。
【００８５】
このように、台座部４５を取り付け可能な構造とすることで、天板３の上面とガラスパネル５の下端面との間の距離を調整できる構造となる。即ち、天板とガラスパネルの間の隙間をより大きく取ることも可能となる。
【００８６】
本発明を適用したキッチン用スクリーンの固定構造は、キッチンのカウンターの天板のへの配置に限定されるものではない。
【００８７】
例えば、図１０に示すように、板状の部材が側面に設けられた側板５０に対して、上述した支持部材４を用いてガラスパネル５を水平方向に取り付けることも可能である。更には、板状の部材が鉛直方向下面に設けられた底板５１に対して、支持部材４を用いてガラスパネル５を取り付けることも可能である。このように、本発明を適用したキッチン用スクリーンの固定構造は、水平方向や鉛直下方に向けてガラスパネルを取り付ける場合にも、安定して取り付けることが可能となっている。
【００８８】
以上のとおり、本発明に係るキッチン用スクリーンの固定構造は、キッチンのカウンターに簡易に取り付け可能、かつ、衝立パネルを強固に固定できると共に、安全性や意匠性に優れたものとなっている。
また、本発明に係るキッチン用スクリーンの固定方法は、キッチンのカウンターに簡易に取り付け可能、かつ、衝立パネルを強固に固定できると共に、安全性や意匠性に優れた方法となっている。
【符号の説明】
【００８９】
１      キッチン用スクリーン
２      カウンター
３      天板
４      支持部材
５      ガラスパネル
６      本体ブラケット
７      パッキン
８      金属製スペーサー
９      ガラスパネル固定ねじ
１０      凹部
１１      固定ねじ貫通孔
１３      天板固定ねじ
１４      凹部
１５      オーリング
１６      第１の挟持片
１７      第２の挟持片
１８      窪み部
１９      取付片
２０      開口段差部
２１      パッキン段差部
２２      パッキン突出部
２３      スペーサー段差部
２４      スペーサー突出部
２５      第１のパッキン
２６      第２のパッキン
２７      底部パッキン
２８      窪み部
２９      凸部
３０      内部領域
３１      凸部
３２      貫通孔
３３      本体部
３４      先端部
３５      ねじ先端スペーサー
３６      凸部
３７      嵌合孔
３８      六角孔
３９      径大貫通孔
４０      径小貫通孔
４１      径大貫通孔の開口部
４２      ねじ頭
４３      天板固定ねじの軸体
４４      本体ブラケット
４５      台座部
４６      キッチン用スクリーンの固定構造
４７      天板固定ねじ
４８      貫通孔
４９      段差部
５０      側板
５１      底板
５２      取付片の上端面
５３      パッキン７の底面側（第１のパッキン２５の底面）の端部
５４      本体ブラケット６の符号５３に対応する部分
５５      金属製スペーサー８の底面側の端部
５６      本体ブラケット６の符号５５に対応する部分
【図１】
2018025231.tif 000003
【図２】
2018025231.tif 000004
【図３】
2018025231.tif 000005
【図４】
2018025231.tif 000006
【図５】
2018025231.tif 000007
【図６】
2018025231.tif 000008
【図７】
2018025231.tif 000009
【図８】
2018025231.tif 000010
【図９】
2018025231.tif 000011
【図１０】
2018025231.tif 000012
【図１１】
2018025231.tif 000013
【図１２】
2018025231.tif 000014
【図１３】
2018025231.tif 000015